(57)【要約】【課題】シート状部材を用いて、効率的に通水試験を行なうことのできる通水試験用試験体及び通水試験方法を提供する。【解決手段】中心に貫通孔２１が形成された円板形状の無線ＩＣタグ２０と、貫通孔２１に軸部３１が挿通したタグピン３０によって、無線ＩＣタグ２０を取り付けた布部材１５とを備える試験体１０とする。無線ＩＣタグ２０は、アンテナと記憶部とを備えている。タグピン３０は、Ｈ形状をしたプラスチック製で構成されている。この試験体１０を試験する配管に流して、配管の下流で回収し、無線ＩＣタグ２０に記憶したデータを取得する。【選択図】図１
2017072416.tif 000002
【特許請求の範囲】
【請求項１】
配管の通水試験に用いられる試験体であって、
記憶部と無線通信部とを備えた基台の中心に貫通孔が形成された識別体と、
前記貫通孔に挿通し防水性材料で構成された取付具を介して、前記識別体が取り付けられているシート状部材とを備えたことを特徴とする通水試験用試験体。
【請求項２】
前記取付具は、合成樹脂で構成されており、柔軟性を有するタグピンであることを特徴とする請求項１に記載の通水試験用試験体。
【請求項３】
前記タグピンは、Ｈ形状を有していることを特徴とする請求項２に記載の通水試験用試験体。
【請求項４】
前記基台を円板形状で構成したことを特徴とする請求項１〜３の何れか１項に記載の通水試験用試験体。
【請求項５】
前記基台を、前記シート状部材の色に対して反対色で構成したことを特徴とする請求項１〜４の何れか１項に記載の通水試験用試験体。
【請求項６】
試験体を用いて配管の通水試験を行なう通水試験方法であって、
記憶部と無線通信部とを備えた基台の中心に貫通孔が形成された識別体と、前記貫通孔に挿通し防水性材料で構成された取付具を介して、前記識別体が取り付けられているシート状部材とを備えた試験体を、前記配管の上流部から投入し、
前記配管の下流部において前記試験体を回収し、
回収された前記試験体の前記記憶部に記憶された情報をコンピュータ端末が取得し、前記コンピュータ端末が、前記情報に応じて前記配管の通水状態を判定することを特徴とする通水試験方法。
【発明の詳細な説明】
【技術分野】
【０００１】
本発明は、配管の通水試験に用いる通水試験用試験体及び通水試験方法に関する。
【背景技術】
【０００２】
従来、建物の配管状態を調べるために、試験体を配管に流して通水試験を実施することが行なわれている（例えば、特許文献１，２参照）。特許文献１に記載の通水試験では、排水管等の管路内に水とともに試験体を流し、この試験体を下流で回収し、試験体が流れた時間や経路等を特定することにより、配管の状況を判定している。また、特許文献２に記載の技術においては、試験体が合流管又は分岐管に混入して下流の回収地点に着かないことを回避するために、低反発性材料で構成された球体を用いて、通水試験を実施している。
【先行技術文献】
【特許文献】
【０００３】
【特許文献１】特開２００６−２５７７４５号公報
【特許文献２】特開２００９−２５２８２号公報
【発明の概要】
【発明が解決しようとする課題】
【０００４】
配管を流れる物体には、例えば布等、配管の水の流れによって形態が変化する物体がある。従来、配管の状態を把握するために、シート状部材を流して試験することがあった。特許文献１においても、手ぬぐいを流すことが記載されている。この場合、無線ＩＣタグを手ぬぐいに縫い付けたり、予め縫いつけたポケット等に無線ＩＣタグを挿入したりしていた。
【０００５】
しかしながら、無線ＩＣタグの縫い付けや、無線タグを挿入するポケットを用いる場合には、シート状部材に対する無線ＩＣタグの着脱作業に時間が掛かり、また、試験現場での作業が煩雑であった。
【０００６】
本発明は、上記課題に鑑みてなされ、その目的は、シート状部材を用いて、効率的に通水試験を行なうことのできる通水試験用試験体及び通水試験方法を提供することにある。
【課題を解決するための手段】
【０００７】
上記課題を解決するための通水試験用試験体は、配管の通水試験に用いられる試験体であって、記憶部と無線通信部とを備えた基台の中心に貫通孔が形成された識別体と、前記貫通孔に挿通し防水性材料で構成された取付具を介して、前記識別体が取り付けられているシート状部材とを備える。これにより、取付具によって、識別体を容易に着脱することができ、効率的に通水試験を実施することができる。
【０００８】
上記通水試験用試験体において、前記取付具は、合成樹脂で構成されており、柔軟性を有するタグピンであることが好ましい。これにより、水の流れによって、識別体とシート状部材とに力が加わる場合にも、タグピンの柔軟性によって、試験体の分離や破壊を少なくすることができる。
【０００９】
上記通水試験用試験体において、前記タグピンは、Ｈ形状を有していることが好ましい。これにより、タグピンの中央の軸部を、識別体の貫通孔に挿通させることにより、識別体をシート状部材に効率的に設けることができる。
【００１０】
上記通水試験用試験体において、前記基台を円板形状で構成することが好ましい。これにより、配管内における、識別体の引っ掛かりを抑制することができる。
上記通水試験用試験体において、前記基台を、前記シート状部材の色に対して反対色で構成することが好ましい。これにより、シート状部材において、識別体の位置を効率的に把握することができる。
【００１１】
上記課題を解決するための通水試験方法は、試験体を用いて配管の通水試験を行なう通水試験方法であって、記憶部と無線通信部とを備えた基台の中心に貫通孔が形成された識別体と、前記貫通孔に挿通し防水性材料で構成された取付具を介して、前記識別体が取り付けられているシート状部材とを備えた試験体を、前記配管の上流部から投入し、前記配管の下流部において前記試験体を回収し、回収された前記試験体の前記記憶部に記憶された情報をコンピュータ端末が取得し、前記コンピュータ端末が、前記情報に応じて前記配管の通水状態を判定する。これにより、取付具によって識別体を容易に着脱可能としたシート状部材を用いて、効率的に通水試験を実施することができる。
【発明の効果】
【００１２】
本発明によれば、シート状部材を用いて、効率的に通水試験を行なうことができる。
【図面の簡単な説明】
【００１３】
【図１】実施形態における試験体の全体を示す図であって、（ａ）は斜視図、（ｂ）は側面図。
【図２】実施形態における試験体に用いられる部材を示す図であって、（ａ）は無線ＩＣタグの正面図、（ｂ）はタグピンの正面図。
【発明を実施するための形態】
【００１４】
以下、図１及び図２を用いて、通水試験用試験体を具体化した一実施形態を説明する。本実施形態における通水試験用試験体は、配管の通水試験に用いる。
図１（ａ）及び図１（ｂ）は、本実施形態における試験体１０の斜視図及び側面図を示している。これらに示すように、本実施形態における試験体１０は、布部材１５に、無線ＩＣタグ２０がタグピン３０を介して取り付けられている。本実施形態では、布部材１５がシート状部材、無線ＩＣタグ２０が識別体、タグピン３０が取付具にそれぞれ相当する。
【００１５】
布部材１５は、白地のタオルを切断して構成されており、例えば、横約３５０ｍｍ、縦約３００ｍｍの長方形状で構成されている。
図２（ａ）に示すように、無線ＩＣタグ２０は、中心に貫通孔２１が形成された黒色の円板形状で構成されている。本実施形態の無線ＩＣタグ２０は、直径が約３０ｍｍ、貫通孔２１の直径が約２ｍｍの大きさである。
【００１６】
無線ＩＣタグ２０は、無線通信部としてのアンテナと、半導体チップ２６と、基台２７とを備えている。アンテナは、基台２７内の領域２５において巻回されて配置されている。本実施形態では、半導体チップ２６は、アンテナに接続され、領域２５の内側の領域に配置されている。基台２７は、合成樹脂等の非導電体によって構成されている。基台２７は、アンテナと半導体チップ２６とをモールドすることにより構成されている。
【００１７】
半導体チップ２６は、データを記憶する記憶部を備えている。本実施形態では、この記憶部に記憶されたデータは書き換え可能になっている。このデータは、アンテナを介して、後述するリーダによって読み取られる。また、アンテナを介して、ライタによってデータを書き込まれる。本実施形態では、この記憶部に、無線ＩＣタグ２０を識別する識別子と、無線ＩＣタグ２０を流す配管を特定するための配管系統情報に関するデータを記憶させる。
【００１８】
図２（ｂ）に示すように、タグピン３０は、プラスチック等の合成樹脂で構成されたＨ形状のピンである。このタグピン３０は、軸部３１と、軸部３１が中央に取り付けられた係止部３２，３３とを備えている。これら軸部３１、係止部３２，３３は、直径（太さ）約１ｍｍの円筒形状で構成されている。更に、本実施形態のタグピン３０として、例えば軸部３１が約５ｍｍの長さがあり、上側の係止部３２及び下側の係止部３３が約６ｍｍの長さがある衣料用のピンを用いている。すなわち、タグピン３０は、無線ＩＣタグ２０の貫通孔２１の直径よりも細い軸部３１を備える。更に、タグピン３０の係止部３２，３３の横幅（軸部３１の軸方向に対して直交部分の長さ）が、貫通孔２１の直径より長いものを用いる。これにより、タグピン３０を貫通孔２１に通した後で、貫通孔２１からのタグピン３０の抜け落ちを抑制する。
【００１９】
次に、以上のように構成された試験体１０を用いた通水試験の試験方法について説明する。本実施形態では、直径が約５０ｍｍ以上の管を用いた配管の通水試験を実施する。
まず、通水試験に用いる試験体１０を準備する。ここでは、布部材１５に無線ＩＣタグ２０を取り付ける。この場合、タグピン３０が連設された集合針が充填されたタグガンを用いる。このタグガンは、中空のガイド針を備え、このガイド針に集合針が装入される。タグガンは、集合針から１つのタグピン３０を切り離し、このタグピン３０の係止部３３をガイド針の軸部（タグピン３０の軸部３１）に沿わせて直線状に寝かした状態で、貫通孔２１及び布部材１５にガイド針を刺し通した後、このガイド針をこれらから抜き去ってタグピン３０の係止部３３を置いてくる。そして、ガイド針を抜き去った後、布部材１５の外側に残された係止部３３が軸部３１に対して形状が回復して直交方向に展開され、タグピン３０の形状がＨ形状に回復し、抜けなくなる。
【００２０】
本実施形態では、布部材１５の中心に、無線ＩＣタグ２０の中心を配置し、無線ＩＣタグ２０の貫通孔２１にタグピン３０が挿入するように、タグガンを作動させる。
タグガンを作動させることにより、充填されたタグピン３０の軸部３１が押し出され、布部材１５及び無線ＩＣタグ２０を貫通する。そして、タグピン３０の上側の係止部３２が無線ＩＣタグ２０の上面側に突出し、タグピン３０の下側の係止部３３が布部材１５の下面側に突出した状態となる。これにより、タグピン３０によって、無線ＩＣタグ２０が布部材１５に取り付けられる。なお、タグガンを用いる場合、布部材１５の、無線ＩＣタグ２０と反対側には、台座を配置するようにしてもよい。この台座は、円筒形状をしており、無線ＩＣタグ２０の貫通孔２１に対応した位置に孔が形成されている。
【００２１】
このように準備した試験体１０を用いて通水試験を行なう場合、非接触のリーダライタ付の携帯情報端末を用いる。この携帯情報端末は、タッチパネル等の入力部及び表示部を備え、無線により無線ＩＣタグ２０とデータの送受信を行なう。更に、この携帯情報端末は、通水試験を管理している通水試験管理システムとデータの送受信を行なう。通水試験管理システムは、コンピュータ端末であって、試験体の情報を記憶している通水試験データ記憶部を備えている。
【００２２】
そして、試験体１０を配管に投入する場合には、携帯情報端末を用いて、試験体１０の無線ＩＣタグ２０の記憶部にデータを書き込む。この場合、無線ＩＣタグ２０に対して、この無線ＩＣタグ２０を特定するための試験体識別子と、試験体１０を流す配管の系統情報とを書き込む。
【００２３】
そして、トイレや流し台の配管口等の配管の投入箇所から、試験体１０を投入する。更に、携帯情報端末は、無線ＩＣタグ２０に書き込んだ試験体識別子と配管系統情報と、入力部を介して取得した試験体１０の投入箇所（試験体１０を配管に投入した箇所）及び投入時刻を、通水試験管理システムに送信する。通水試験管理システムは、取得したこれらデータを関連付けて、通水試験データ記憶部に記憶する。
【００２４】
その後、投入箇所から流れた試験体１０は、配管の下流において回収される。そして、この試験体１０の無線ＩＣタグ２０の記憶部から、リーダライタ付の携帯情報端末は、試験体識別子と配管の系統情報に関するデータを取得する。携帯情報端末は、入力部を介して、試験体１０を回収した回収時刻を取得し、取得した試験体識別子、系統情報及び回収時刻を、通水試験管理システムに送信する。通水試験管理システムは、取得した試験体識別子に関連付けられている投入箇所や投入時間等のデータをデータベースから取得し、取得した回収時刻や配管系統情報を用いて、配管情報の判定処理を実行する。
その後、布部材１５と無線ＩＣタグ２０とを分離する場合には、タグピン３０をハサミによって切断する。
【００２５】
本実施形態によれば、以下のような効果を得ることができる。
（１）本実施形態の試験体１０は、中心に貫通孔２１が形成された無線ＩＣタグ２０と、貫通孔２１に軸部３１が挿通したタグピン３０を介して無線ＩＣタグ２０を設けた布部材１５とを備える。これにより、無線ＩＣタグ２０を布部材１５に容易に着脱することができ、効率的に通水試験を実施することができる。
【００２６】
（２）本実施形態の試験体１０は、プラスチック製のタグピン３０を用いる。これにより、水の流れによって、布部材１５と無線ＩＣタグ２０とに力が加わる場合にも、タグピン３０の柔軟性によって、試験体１０の分離や破壊を少なくすることができる。
【００２７】
（３）本実施形態の試験体１０は、Ｈ形状のタグピン３０を用いる。これにより、タグピン３０の中央の軸部３１を、無線ＩＣタグ２０の貫通孔２１に挿通し、布部材１５と無線ＩＣタグ２０とに係止するように、タグピン３０を、タグガンを用いて配置すれば、布部材１５と無線ＩＣタグ２０とを効率的に取り付けることができる。
【００２８】
（４）本実施形態の試験体１０は、円板形状の無線ＩＣタグ２０を用いる。これにより、製造し易く、配管内における引っ掛かりを抑制することができる。
（５）本実施形態の試験体１０は、白地のタオルで構成された布部材１５と、黒色の基台２７を備えた無線ＩＣタグ２０とを用いる。布部材１５の色に対して目立つ色によって無線ＩＣタグ２０を構成するので、試験体１０を回収した場合に布部材１５に包まれた無線ＩＣタグ２０の位置を効率的に把握することができる。
【００２９】
また、上記実施形態は、以下のように変更してもよい。
・上記実施形態の試験体１０においては、円板形状の無線ＩＣタグ２０を用いた。無線ＩＣタグ２０である識別体の形状は、円板形状に限らず、多角形状等の板形状であってもよい。また、取付具が貫通する孔が形成された識別体であれば、板形状ではなく、球体等の立体形状でもよい。
【００３０】
・上記実施形態の試験体１０においては、無線ＩＣタグ２０は、布部材１５の中心に取り付けた。無線ＩＣタグ２０を取り付ける布部材１５の位置は、中心に限られず、布部材１５の端等、中心から外れた位置に取り付けてもよい。
【００３１】
・上記実施形態の試験体１０においては、白地の布部材１５に、黒色の基台を備えた無線ＩＣタグ２０を取り付けて構成した。布部材１５と無線ＩＣタグ２０との色は、白色と黒色に限定されず、逆であってもよいし、他の色でもよい。この場合、布部材１５と無線ＩＣタグ２０との色を反対色にすることにより、無線ＩＣタグ２０の色を、布部材１５の色に対して目立つ色にすることができ、布部材１５において、無線ＩＣタグ２０の位置を効率的に把握することができる。ここで、反対色とは、明度の高低が極値の色（黒と白）だけでなく、補色（色相環で正反対に位置する関係の色の組み合わせ）も含まれる。
【００３２】
また、布部材１５と無線ＩＣタグ２０とを取り付けるタグピン３０を、布部材１５や無線ＩＣタグ２０と異なる色で構成してもよい。この場合には、布部材１５や無線ＩＣタグに、タグピン３０が取り付けられたか否かを効率的に把握することができる。
【００３３】
・上記実施形態の試験体１０においては、プラスチックで構成されたＨ形状のタグピン３０によって、布部材１５と無線ＩＣタグ２０とを取り付けた。布部材１５と無線ＩＣタグ２０とを取り付ける取付具は、このタグピン３０に限定されず、例えば、プラスチック等の合成樹脂で構成されたループ形状の取付具であってもよい。またＴ字形状の先端を、布部材１５と無線ＩＣタグ２０に挿通し、別部材で係止するようなピンであってもよい。この場合、ピンの材質は、合成樹脂に限らず、金属等であってもよい。
【００３４】
更に、上記実施形態の試験体１０では、直径が約２ｍｍの貫通孔２１を有した無線ＩＣタグ２０と、太さ約１ｍｍの軸部３１、係止部３２，３３をＨ形状としたタグピン３０を用いた。このタグピン３０の軸部３１、係止部３２，３３は、約５ｍｍ、約６ｍｍの長さを有する。貫通孔２１の大きさとタグピン３０の大きさは、これに限定されず、タグピン３０の係止部３２，３３の横幅（軸部３１の軸方向に対して直交部分の長さ）が、貫通孔２１の直径より長ければよい。これにより、タグピン３０を貫通孔２１に通した後で、貫通孔２１からのタグピン３０の抜け落ちを抑制することができる。更に、タグピン３０は、軸部３１が貫通孔２１内において動いても抜け落ちないような大きさの係止部３２，３３を有することが好ましい。例えば、係止部３２，３３の中央に軸部３１が連接されているため、係止部３２，３３の横幅の半分と軸部３１の半径との和を、貫通孔２１の直径より長くする。これにより、タグピン３０の軸部３１に引張力が加わっても、係止部３２，３３が貫通孔２１に入り込まず、タグピン３０の抜け落ちを抑制することができる。
【００３５】
・上記実施形態の試験体１０においては、シート状部材として布部材１５を用いた。シート状部材としては、布部材１５に限定されるものではなく、形態を変化させながら配管に流れる可能性がある物体（例えばビニール製のシートや紙片等）を用いることができる。
【００３６】
・上記実施形態の試験体１０の無線ＩＣタグ２０は、書き換え可能なデータを記憶した記憶部を備えた半導体チップ２６を有している。無線ＩＣタグ２０が備える記憶部は、書き換え可能な記憶部に限定されず、書き換えができない読み出しのみが可能な記憶部であってもよい。この場合には、無線ＩＣタグ２０の記憶部には、無線ＩＣタグ２０を特定する識別体識別子を記憶させておく。携帯情報端末は、試験体１０に用いた無線ＩＣタグ２０の記憶部から、リーダを介して識別体識別子を読み出し、読み出した識別体識別子に関連付けて、配管系統情報、投入情報（投入箇所や投入時刻等）、回収情報（回収箇所や回収時刻等）を通水試験管理システムに送信する。
【符号の説明】
【００３７】
１０…試験体、１５…布部材、２０…無線ＩＣタグ、２１…貫通孔、２５…領域、２６…記憶部としての半導体チップ、２７…基台、３０…タグピン、３１…軸部、３２，３３…係止部。
【図１】
2017072416.tif 000003
【図２】
2017072416.tif 000004